(57)【要約】【課題】  加熱せずに印刷版を精度よく折り曲げることができかつ装置・機構の簡素化が可能となる印刷版折り曲げ方法及び印刷版折り曲げ装置を提供を提供する。【解決手段】  この印刷版折り曲げ方法は、印刷版１を台座２及び折り曲げべース板３に載せ、版固定ブロック４及び折り曲げブロック５を下降させ、版固定ブロック４及び折り曲げブロック５で印刷版１の上面を押さえ付けてから、印刷版１の側縁部１ａ側に位置する折り曲げブロック５を折り曲げべース板３の先端部３ａを略回転中心として回転方向Ｒに回転させて略１８０°回転させ、版固定ブロック４と折り曲げブロック５との間に折り曲げべース板３を挟み込んで重ね折られた印刷版１を所定の保持時間で押圧してから、かかる折り曲げを所定回数繰り返す。【選択図】  図１
2005313527.tif 000002
【特許請求の範囲】
【請求項１】
プラスチック支持体で支持されたシート状の印刷版材料の一方の面を版固定ブロック及び折り曲げブロックに対し前記折り曲げブロックが前記一方の面の側縁部側に位置するように接触させ、他方の面を折り曲げべース板に接触させ、
前記折り曲げべース板の先端部を略回転中心として前記折り曲げブロックを略１８０°回転させ、前記折り曲げべース板を挟み込むように前記印刷版材料の側縁部を重ね折りしながら前記版固定ブロックと前記折り曲げブロックとで前記印刷版材料及び前記折り曲げべース板を押圧し、この押圧の保持時間を調整することで前記印刷版材料の側縁部を折り曲げることを特徴とする印刷版折り曲げ方法。
【請求項２】
前記印刷版材料の側縁部の折り曲げを所定回数繰り返すことを特徴とする請求項１に記載の印刷版折り曲げ方法。
【請求項３】
プラスチック支持体で支持されたシート状の印刷版材料の一方の面を版固定ブロック及び折り曲げブロックに対し前記折り曲げブロックが前記一方の面の側縁部側に位置するように接触させ、他方の面を折り曲げべース板に接触させ、
前記折り曲げべース板の先端部を略回転中心として前記折り曲げブロックを略１８０°回転させ、前記折り曲げべース板を挟み込むように前記印刷版材料の側縁部を重ね折りしながら前記版固定ブロックと前記折り曲げブロックとで前記印刷版材料及び前記折り曲げべース板を押圧して前記印刷版材料の側縁部を折り曲げることを所定回数繰り返すことを特徴とする印刷版折り曲げ方法。
【請求項４】
前記保持時間及び／又は前記折り曲げ回数を調整することで前記印刷版材料の側縁部の最終的な折り曲げ角度を調整することを特徴とする請求項１，２または３に記載の印刷版折り曲げ方法。
【請求項５】
前記プラスチック支持体は、ヤング率が４５００乃至６５００Ｎ／ｍｍ２の範囲内であり厚さが１００乃至２５０μｍの範囲内であり、
前記印刷版材料は前記プラスチック支持体上に少なくとも親水性層及び感熱性画像形成層を有することを特徴とする請求項１乃至４のいずれか１項に記載の印刷版折り曲げ方法。
【請求項６】
前記プラスチック支持体の材質はポリエチレンテレフタレートであることを特徴とする請求項１乃至５のいずれか１項に記載の印刷版折り曲げ方法。
【請求項７】
前記プラスチック支持体の厚さは１７０乃至１８０μｍの範囲内であることを特徴とする請求項１乃至６のいずれか１項に記載の印刷版折り曲げ方法。
【請求項８】
前記プラスチック支持体のヤング率は５０００乃至６０００Ｎ／ｍｍ２の範囲内であることを特徴とする請求項１乃至７のいずれか１項に記載の印刷版折り曲げ方法。
【請求項９】
プラスチック支持体で支持されたシート状の印刷版材料の一方の面と接触するように設けられた版固定手段と、
前記印刷版材料の他方の面に位置するように設けられた折り曲げべース板と、
前記版固定手段よりも前記印刷版材料の一方の面の側縁部側に位置するよう設けられ前記折り曲げべース板の先端部を略回転中心として略１８０°回転可能な折り曲げ手段と、
前記折り曲げべース板と前記版固定手段及び前記折り曲げ手段との間に前記印刷版材料が挟まれた状態で前記折り曲げ手段を略１８０°回転させることで、前記折り曲げべース板を挟み込むように前記印刷版材料の側縁部を重ね折りしながら前記版固定手段と前記折り曲げ手段とで前記印刷版材料及び前記折り曲げべース板を押圧する押圧手段と、
前記押圧手段による押圧の保持時間を調整する保持時間調整手段と、を備え、前記印刷版材料の側縁部を折り曲げることを特徴とする印刷版折り曲げ装置。
【請求項１０】
前記印刷版材料の側縁部の折り曲げを所定回数繰り返し可能に構成したことを特徴とする請求項９に記載の印刷版折り曲げ装置。
【請求項１１】
プラスチック支持体で支持されたシート状の印刷版材料の一方の面と接触するように設けられた版固定手段と、
前記印刷版材料の他方の面に位置するように設けられた折り曲げべース板と、
前記版固定手段よりも前記印刷版材料の一方の面の側縁部側に位置するよう設けられ前記折り曲げべース板の先端部を略回転中心として略１８０°回転可能な折り曲げ手段と、
前記折り曲げべース板と前記版固定手段及び前記折り曲げ手段との間に前記印刷版材料が挟まれた状態で前記折り曲げ手段を略１８０°回転させることで、前記折り曲げべース板を挟み込むように前記印刷版材料の側縁部を重ね折りしながら前記版固定手段と前記折り曲げ手段とで前記印刷版材料及び前記折り曲げべース板を押圧する押圧手段と、を備え、前記印刷版材料の側縁部の折り曲げを所定回数繰り返し可能に構成したことを特徴とする印刷版折り曲げ装置。
【請求項１２】
前記保持時間及び／又は前記折り曲げ回数を制御可能な制御部を備えることを特徴とする請求項９，１０または１１に記載の印刷版折り曲げ装置。
【請求項１３】
前記制御部はタイマ及び／又はカウンタを備えることを特徴とする請求項１２に記載の印刷版折り曲げ装置。
【請求項１４】
前記折り曲げ手段を回転駆動するための駆動源を備えることを特徴とする請求項９乃至１３のいずれか１項に記載の印刷版折り曲げ装置。
【請求項１５】
前記印刷版材料の側縁部の折り曲げの完了を通知する通知手段を備えることを特徴とする請求項９乃至１４のいずれか１項に記載の印刷版折り曲げ装置。
【請求項１６】
前記通知手段は表示灯及び／又は音発生器であることを特徴とする請求項１５に記載の印刷版折り曲げ装置。
【請求項１７】
前記押圧のときの押圧力を前記印刷版材料の折り曲げ幅方向の任意位置で調整可能である押圧力調整機構を備えることを特徴とする請求項９乃至１６のいずれか１項に記載の印刷版折り曲げ装置。
【請求項１８】
前記折り曲げべース板の材質はバネ鋼であることを特徴とする請求項９乃至１７のいずれか１項に記載の印刷版折り曲げ装置。
【請求項１９】
前記折り曲げべース板はマグネットにより保持されることを特徴とする請求項９乃至１８のいずれか１項に記載の印刷版折り曲げ装置。
【請求項２０】
前記版固定手段と前記折り曲げ手段は、一体として折り曲げ機構を構成し、前記印刷版材料の上方に前記印刷版材料に対し接近かつ離間可能に設けられ、
前記折り曲げ機構を前記印刷版材料の上方の保持位置で保持し固定可能とする落下防止機構を備えることを特徴とする請求項９乃至１９のいずれか１項に記載の印刷版折り曲げ装置。
【請求項２１】
前記プラスチック支持体は、ヤング率が４５００乃至６５００Ｎ／ｍｍ２の範囲内であり厚さが１００乃至２５０μｍの範囲内であり、
前記印刷版材料は前記プラスチック支持体上に少なくとも親水性層及び感熱性画像形成層を有することを特徴とする請求項９乃至２０のいずれか１項に記載の印刷版折り曲げ装置。
【請求項２２】
前記プラスチック支持体の材質はポリエチレンテレフタレートであることを特徴とする請求項９乃至２１のいずれか１項に記載の印刷版折り曲げ装置。
【請求項２３】
前記プラスチック支持体の厚さは１７０乃至１８０μｍの範囲内であることを特徴とする請求項９乃至２２のいずれか１項に記載の印刷版折り曲げ装置。
【請求項２４】
前記プラスチック支持体のヤング率は５０００乃至６０００Ｎ／ｍｍ２の範囲内であることを特徴とする請求項９乃至２２のいずれか１項に記載の印刷版折り曲げ装置。
【発明の詳細な説明】
【技術分野】
【０００１】
本発明は、シート状の印刷版材料の側縁部を幅方向に折り曲げる印刷版折り曲げ方法及び印刷版折り曲げ装置に関する。
【背景技術】
【０００２】
従来、樹脂を支持体とする印刷版を印刷機の版胴に有効に装着するために印刷版の側縁部を折り曲げているが、かかる印刷版の折り曲げ装置では、ヒータ等の加熱手段を用いて印刷版の折り曲げ部を加熱しながら折り曲げることで、折り曲げ角度の保持を行っている（下記特許文献１乃至４）。しかし、かかる従来の加熱手段を用いた折り曲げ方法には次の問題があった。
【０００３】
（１）折り曲げ角度の保持のために加熱手段が必要であり、折り曲げ幅方向の温度バラツキにより印刷版への加熱が不均一となることに起因して折り曲げ部の波打が生じていた。また、加熱を行うため熱によるプラスチック支持体の伸縮が発生する。更に、感熱性画像形成層を有する印刷版材料においては熱により画像形成層が反応してしまう。
【０００４】
（２）下記特許文献３では印刷版材料に折り目をつけた後に重ね折りして押圧しているが、折り曲げの内側にある部材を待避させる必要があり、折り曲げの位置精度の維持が困難であり、機構も複雑となる。
【０００５】
（３）加熱用の熱源を必要とするため、温度を一定に維持するための制御機構が必要であり、部品数増加、コストアップの要因となっている。更に、即時使用可能な状態にするため、温度を一定温度に上げておくスタンバイ状態が一般的に考えられ、装置を使用していない間も常に熱源の電力消費が行われるためエネルギーの無駄が生じている。
【０００６】
（４）印刷版材料の折曲げ角度の調整は印刷版材料に加える熱量により行っているが、かかる調整方法では折曲げ角度の調整が困難である。
【特許文献１】特開平２−１０２０４９号公報
【特許文献２】特開平８−２９５００８号公報
【特許文献３】特開２０００−１９０４５６号公報
【特許文献４】特開２００２−２５４６０１号公報
【発明の開示】
【発明が解決しようとする課題】
【０００７】
本発明は、上述のような従来技術の問題に鑑み、加熱せずに印刷版を精度よく折り曲げ、折り曲げ角の調整を容易にできかつ装置・機構の簡素化が可能となる印刷版折り曲げ方法及び印刷版折り曲げ装置を提供することを目的とする。
【課題を解決するための手段】
【０００８】
本発明による印刷版折り曲げ方法の概略的工程を図１（ａ）〜（ｃ）を参照して説明する。図１は本発明による好ましい印刷版折り曲げ工程（ａ）〜（ｃ）を概略的に説明するための側断面図である。
【０００９】
図１（ａ）のように、好ましくはバネ鋼からなる折り曲げべース板３を台座２の先端２ａから突き出るようにして台座２に固定し、プラスチック支持体で支持されたシート状の印刷版１を台座２及び折り曲げべース板３に載せ、印刷版１の側縁部１ａが折り曲げべース板３の先端部３ａから突き出るように位置決める。次に、図の破線のように上方に位置する版固定ブロック４及び折り曲げブロック５を下方向Ｖに下降させ、版固定ブロック４及び折り曲げブロック５で印刷版１の上面を押さえ付ける。
【００１０】
次に、図１（ｂ）のように、折り曲げべース板３の先端部３ａを略回転中心として折り曲げブロック５を回転方向Ｒに図の破線のように回転させて略１８０°回転させると、版固定ブロック４と折り曲げブロック５との間に折り曲げべース板を挟み込んで印刷版１が側縁部１ａで重ね折りの状態になり、この重ね折りの状態で版固定ブロック４と折り曲げブロック５とで印刷版１及び折り曲げべース板３を所定の保持時間で押圧する。
【００１１】
次に、折り曲げブロック５を回転方向Ｒの逆方向に回転させ、図１（ａ）の位置に戻してから再度、図１（ｂ）のように回転方向Ｒに略１８０°回転させ、所定の保持時間で押圧してから、かかる折り曲げを所定回数繰り返す。
【００１２】
次に、図１（ｃ）のように、版固定ブロック４と折り曲げブロック５とを一体に上方向Ｖ’に退避させてから印刷版１を取り出すと、印刷版１の重ね折られた側縁部１ａがスプリングバックし、印刷版１に対し側縁部１ａをほぼ直角に折り曲げることができる。
【００１３】
以上のように、本発明による印刷版折り曲げ方法は、プラスチック支持体で支持されたシート状の印刷版材料の一方の面を版固定ブロック及び折り曲げブロックに対し前記折り曲げブロックが前記一方の面の側縁部側に位置するように接触させ、他方の面を折り曲げべース板に接触させ、前記折り曲げべース板の先端部を略回転中心として前記折り曲げブロックを略１８０°回転させ、前記折り曲げべース板を挟み込むように前記印刷版材料の側縁部を重ね折りしながら前記版固定ブロックと前記折り曲げブロックとで前記印刷版材料及び前記折り曲げべース板を押圧し、この押圧の保持時間を調整することで前記印刷版材料の側縁部を折り曲げることを特徴とする。
【００１４】
この印刷版折り曲げ方法によれば、版固定ブロックと折り曲げブロックとの間で折り曲げべース板を挟み込んで印刷版材料を側縁部で重ね折りし、この重ね折りの状態で印刷版及び折り曲げべース板を押圧する保持時間を調整することで、加熱せずに印刷版材料の側縁部を精度よく折り曲げることができ、その折り曲げ角度を容易に調整でき、加熱手段等が不要でありかつ折り曲げブロックの回転のときに折り曲げべース板を待避させる必要がないため、折り曲げ位置精度を向上でき、装置・機構の簡素化が可能となる。
【００１５】
上記印刷版折り曲げ方法において前記印刷版材料の側縁部の折り曲げを所定回数繰り返すことで、折り曲げ角度を容易に精度よく調整できる。
【００１６】
本発明によるもう１つの印刷版折り曲げ方法は、プラスチック支持体で支持されたシート状の印刷版材料の一方の面を版固定ブロック及び折り曲げブロックに対し前記折り曲げブロックが前記一方の面の側縁部側に位置するように接触させ、他方の面を折り曲げべース板に接触させ、前記折り曲げべース板の先端部を略回転中心として前記折り曲げブロックを略１８０°回転させ、前記折り曲げべース板を挟み込むように前記印刷版材料の側縁部を重ね折りしながら前記版固定ブロックと前記折り曲げブロックとで前記印刷版材料及び前記折り曲げべース板を押圧して前記印刷版材料の側縁部を折り曲げることを所定回数繰り返すことを特徴とする。
【００１７】
この印刷版折り曲げ方法によれば、版固定ブロックと折り曲げブロックとの間で折り曲げべース板を挟み込んで印刷版材料を側縁部で重ね折りし、この重ね折りの状態で印刷版及び折り曲げべース板を押圧して印刷版材料の側縁部を折り曲げることを所定回数繰り返すことで、加熱せずに印刷版材料の側縁部を精度よく折り曲げることができ、その折り曲げ角度を容易に調整でき、加熱手段等が不要でありかつ折り曲げブロックの回転のときに折り曲げべース板を待避させる必要がないため、折り曲げ位置精度を向上でき、装置・機構の簡素化が可能となる。
【００１８】
上記各印刷版折り曲げ方法において前記保持時間及び／又は前記折り曲げ回数を調整することで前記印刷版材料の側縁部の最終的な折り曲げ角度を精度よく調整することができる。
【００１９】
また、前記プラスチック支持体は、ヤング率が４５００乃至６５００Ｎ／ｍｍ２の範囲内であり厚さが１００乃至２５０μｍの範囲内であり、前記印刷版材料は前記プラスチック支持体上に少なくとも親水性層及び感熱性画像形成層を有することが好ましい。
【００２０】
また、前記プラスチック支持体の材質はポリエチレンテレフタレートであることが好ましい。また、前記プラスチック支持体の厚さは１７０乃至１８０μｍの範囲内であることが更に好ましい。また、前記プラスチック支持体のヤング率は５０００乃至６０００Ｎ／ｍｍ２の範囲内であることが更に好ましい。
【００２１】
本発明による印刷版折り曲げ装置は、プラスチック支持体で支持されたシート状の印刷版材料の一方の面と接触するように設けられた版固定手段と、前記印刷版材料の他方の面に位置するように設けられた折り曲げべース板と、前記版固定手段よりも前記印刷版材料の一方の面の側縁部側に位置するよう設けられ前記折り曲げべース板の先端部を略回転中心として略１８０°回転可能な折り曲げ手段と、前記折り曲げべース板と前記版固定手段及び前記折り曲げ手段との間に前記印刷版材料が挟まれた状態で前記折り曲げ手段を略１８０°回転させることで、前記折り曲げべース板を挟み込むように前記印刷版材料の側縁部を重ね折りしながら前記版固定手段と前記折り曲げ手段とで前記印刷版材料及び前記折り曲げべース板を押圧する押圧手段と、前記押圧手段による押圧の保持時間を調整する保持時間調整手段と、を備え、前記印刷版材料の側縁部を折り曲げることを特徴とする。
【００２２】
この印刷版折り曲げ装置によれば、版固定手段と折り曲げ手段との間で折り曲げべース板を挟み込んで印刷版材料を側縁部で重ね折りし、この重ね折りの状態で印刷版及び折り曲げべース板を押圧する保持時間を調整することで、加熱せずに印刷版材料の側縁部を精度よく折り曲げることができ、その折り曲げ角度を容易に調整でき、加熱手段等が不要でありかつ折り曲げ手段の回転のときに折り曲げべース板を待避させる必要がないため、折り曲げ位置精度を向上でき、装置・機構の簡素化が可能となる。
【００２３】
上記印刷版折り曲げ装置において前記印刷版材料の側縁部の折り曲げを所定回数繰り返し可能に構成することで、側縁部の折り曲げを所定回数繰り返すことができ、折り曲げ角度を容易に精度よく調整できる。
【００２４】
本発明によるもう１つの印刷版折り曲げ装置は、プラスチック支持体で支持されたシート状の印刷版材料の一方の面と接触するように設けられた版固定手段と、前記印刷版材料の他方の面に位置するように設けられた折り曲げべース板と、前記版固定手段よりも前記印刷版材料の一方の面の側縁部側に位置するよう設けられ前記折り曲げべース板の先端部を略回転中心として略１８０°回転可能な折り曲げ手段と、前記折り曲げべース板と前記版固定手段及び前記折り曲げ手段との間に前記印刷版材料が挟まれた状態で前記折り曲げ手段を略１８０°回転させることで、前記折り曲げべース板を挟み込むように前記印刷版材料の側縁部を重ね折りしながら前記版固定手段と前記折り曲げ手段とで前記印刷版材料及び前記折り曲げべース板を押圧する押圧手段と、を備え、前記印刷版材料の側縁部の折り曲げを所定回数繰り返し可能に構成したことを特徴とする。
【００２５】
この印刷版折り曲げ装置によれば、版固定手段と折り曲げ手段との間で折り曲げべース板を挟み込んで印刷版材料を側縁部で重ね折りし、この重ね折りの状態で印刷版及び折り曲げべース板を押圧して印刷版材料の側縁部を折り曲げることを所定回数繰り返すことができ、加熱せずに印刷版材料の側縁部を精度よく折り曲げることができ、その折り曲げ角度を容易に調整でき、加熱手段等が不要でありかつ折り曲げ手段の回転のときに折り曲げべース板を待避させる必要がないため、折り曲げ位置精度を向上でき、装置・機構の簡素化が可能となる。
【００２６】
上記各印刷版折り曲げ装置において前記保持時間及び／又は前記折り曲げ回数を制御可能な制御部を備えることで、保持時間及び／又は折り曲げ回数を調整することができ、印刷版材料の側縁部の最終的な折り曲げ角度を容易に精度よく調整できる。
【００２７】
また、前記制御部はタイマ及び／又はカウンタを備えることで、保持時間及び／又は折り曲げ回数を正確かつ容易に設定・調整可能である。
【００２８】
また、前記折り曲げ手段を回転駆動するための駆動源を備えることで、折り曲げ手段による折り曲げ動作及び解除動作を自動で実行できる。
【００２９】
また、前記印刷版材料の側縁部の折り曲げの完了を通知する表示灯やブザー等の音発生器等からなる通知手段を備えることで、ユーザに折り曲げ完了を通知することができる。
【００３０】
また、前記押圧のときの押圧力を前記印刷版材料の折り曲げ幅方向の任意位置で調整可能である押圧力調整機構を備えることが好ましい。この押圧力調整機構により、印刷版材料の折り曲げ部角度を調整でき、折り曲げ幅方向の任意位置で押圧力の調整が可能なため折り曲げ部の波打を解消できる。
【００３１】
また、前記折り曲げべース板は金属板であり厚さが０．３乃至０．７ｍｍの範囲内であることが好ましく、０．４乃至０．５ｍｍの範囲内であることが更に好ましい。
【００３２】
また、前記折り曲げべース板の材質はバネ鋼であることが好ましい。これにより、折り曲げべース板の先端部を略回転中心として折り曲げ手段を回転させるときに折り曲げべース板のバネ鋼が撓むことで、印刷版材料の折り曲げ部への集中荷重を吸収し、印刷版材料の割れを防止することができる。
【００３３】
また、前記折り曲げべース板はマグネットにより保持されることが好ましい。折り曲げべース板の上面は印刷版材料が常に接触しているため、突起物があると印刷版材料に傷が発生したり、セットのときに印刷版材料のエッジ部の引っ掛かりが発生するが、マグネットにより保持することで突起がなくなり、かかる問題発生の不具合を解消できる。
【００３４】
また、前記版固定手段と前記折り曲げ手段は、一体として折り曲げ機構を構成し、前記印刷版材料の上方に前記印刷版材料に対し接近かつ離間可能に設けられていることが好ましい。版固定手段と折り曲げ手段が一体で上方に待避できるので、折り曲げ機構への印刷版のセットが容易となる。
【００３５】
また、前記折り曲げ機構を前記印刷版材料の上方の保持位置で保持し固定可能とする落下防止機構を備えることが好ましい。落下防止機構により、折り曲げ機構が上方に待避し保持位置で保持されて固定され、印刷版材料のセットに両手を使用できるので、作業性の向上及び印刷版材料の損傷防止が可能となるとともに、作業中の安全を確保できる。
【００３６】
また、前記プラスチック支持体は、ヤング率が４５００乃至６５００Ｎ／ｍｍ２の範囲内であり厚さが１００乃至２５０μｍの範囲内であり、前記印刷版材料は前記プラスチック支持体上に少なくとも親水性層及び感熱性画像形成層を有することが好ましい。
【００３７】
また、前記プラスチック支持体の材質はポリエチレンテレフタレートであることが好ましい。前記プラスチック支持体の厚さは１７０乃至１８０μｍの範囲内であることが更に好ましい。また、前記プラスチック支持体のヤング率は５０００乃至６０００Ｎ／ｍｍ２の範囲内であることが更に好ましい。
【発明の効果】
【００３８】
本発明の印刷版折り曲げ方法及び印刷版折り曲げ装置によれば、加熱せずに印刷版を精度よく折り曲げ、折り曲げ角の調整を容易にできかつ装置・機構の簡素化が可能となる。
【発明を実施するための最良の形態】
【００３９】
以下、本発明を実施するための最良の形態について図面を用いて説明する。図２は本実施の形態による印刷版折り曲げ装置の全体外観を示す斜視図である。図１１は図２の操作スイッチ部１２を示す平面図である。図１２は図２の印刷版折り曲げ装置の制御系を示すブロック図である。
【００４０】
図２に示すように、印刷版折り曲げ装置は、カバー部材１１ａで包囲されかつシート状の印刷版を折り曲げる折り曲げ機構部１１と、折り曲げ回数や印刷版押圧の保持時間を設定しかつ折り曲げ開始スイッチのある操作スイッチ部１２と、印刷版を載せるように傾斜した台座１３と、引き上げると折り曲げ準備が完了しかつ引き下げると折り曲げ機構部１１を解除し印刷版をセットしまた取り出すことのできる版押さえレバー１４と、制御機器を収納し前面側に電源スイッチ２０が配置された電装箱１５と、設置面に置かれる設置台１６と、設置台１６から直立し台座１３及び折り曲げ機構部１１を支持するように傾斜した支持フレーム１７と、を備える。
【００４１】
なお、台座１３は、印刷版を載せたときに吸着するための吸着機構を内蔵し、吸着機構は、吸着サイズの切替スイッチ１８と、吸着をオン・オフするフットスイッチ１９と、を有する。
【００４２】
図１１に示すように、操作スイッチ部１２は、印刷版押圧の保持時間を設定可能なタイマ４６と、印刷版の折り曲げ回数を設定可能なカウンタ４７と、ボタン部４８ａが点灯部６２（図１２）により点灯・点滅可能な押しボタンスイッチ４８と、を有する。
【００４３】
タイマ４６は、例えば秒単位で、プラスキー４６ａで時間を増やし、マイナスキー４６ｂで時間を減らすことで、任意の保持時間を例えば１乃至１５秒の範囲内で設定でき、その設定した保持時間が経過すると、折り曲げ機構部１１が次の動作に移る。また、カウンタ４７は、プラスキー４７ａで回数を増やし、マイナスキー４７ｂで回数を減らすことで、任意の折り曲げ回数を例えば１乃至９回の範囲内で設定でき、その設定した回数だけ折り曲げると、折り曲げ機構部１１の動作を停止させる。押しボタンスイッチ４８は、ボタン部４８ａを押すことで折り曲げの開始・停止・復帰の動作を行うことができる。
【００４４】
図１２に示すように、図２の印刷版折り曲げ装置の制御系は、図２の電装箱１５内に中央演算処理装置（ＣＰＵ）から構成される制御部６０を有し、制御部６０には、吸着サイズ切替スイッチ１８，フットスイッチ１９，タイマ４６，カウンタ４７，押しボタンスイッチ４８等から各信号が入力する。これらの入力信号に基づいて制御部６０は、折り曲げ機構部１１において印刷版を折り曲げるために回転する折り曲げブロック２５（図５）を回転駆動するための駆動源であるモータ６１，押しボタンスイッチ４８の点灯部６２，図２の操作スイッチ部１２の近傍に配置されたブザー６３，図２の台座１３で印刷版を吸着するために吸引する吸引ポンプ６４等を制御する。
【００４５】
次に、図２の印刷版折り曲げ装置の折り曲げ機構部１１を図３乃至図６を参照して説明する。
【００４６】
図３は、図２の印刷版折り曲げ装置の折り曲げ機構部１１をカバー部材１１ａを取り外した状態で背面側から見た斜視図である。図４は、図３の折り曲げ機構部１１の版固定ブロック２４及び折り曲げブロック２５が上方に退避した状態を示す要部斜視図である。図５は図３の折り曲げ機構部１１の版固定ブロック２４及び折り曲げブロック２５が上方に退避した状態を示す側面図である。図６は図３の折り曲げ機構部１１の版固定ブロック２４及び折り曲げブロック２５が下降し印刷版を押さえた状態を示す側面図である。
【００４７】
図３〜図６に示すように、折り曲げ機構部１１は、図２の台座１３の上に載せられたシート状の印刷版１（図５）を折り曲げのとき固定する版固定ブロック２４と、版固定ブロック２４で固定した印刷版１を側縁部１ａで折り畳むように回転軸３２を回転中心として略１８０°回転する折り曲げブロック２５と、回転軸３２に連結した歯車３１と、版固定ブロック２４と折り曲げブロック２５を支持しかつ回転軸３２を回転可能に支持する支持部２１と、を備える。
【００４８】
図５，図６のように、版押さえレバー１４を回動方向Ｓに引き上げると、台座１３の下方に設けられた支点１４ａでてこ運動し、支持部２１の下方の作用部２１ｅに力が作用することで、支持部２１は、支持部２１の溝２１ａ内のコロ２１ｂ及び支持部２１の版押さえレバー１４側の側面に接したコロ２１ｃ、２１ｄでガイドされながら、図の略下方ｒに版固定ブロック２４と折り曲げブロック２５とともに移動する一方、版押さえレバー１４を回動方向Ｓ’に引き下げると、支持部２１は図の略上方ｒ’に版固定ブロック２４と折り曲げブロック２５とともに移動するようになっている。
【００４９】
図５のように、版押さえレバー１４を回動方向Ｓに引き上げ、支持部２１が図の略下方ｒに下降すると、図３，図６のように、版固定ブロック２４と折り曲げブロック２５が台座１３側に接近し、台座１３の上の印刷版１と接触し押さえ付けるとともに、回転軸３２に連結した歯車３１も下降し、歯車３１が台座１３の下方に配置された別の歯車３３と噛み合うようになっている。
【００５０】
また、図６のように、版固定ブロック２４と折り曲げブロック２５が台座１３の上の印刷版１と接触し押さえ付けた状態から、版押さえレバー１４を回動方向Ｓ’に引き下げると、図４，図５のように、版固定ブロック２４と折り曲げブロック２５が台座１３側から離間し上方に移動し、印刷版をセットしたり、取り外したりできるようになる。
【００５１】
また、台座１３の下方に配置された歯車３３は、図１２の制御部６０により制御されるモータ６１（図１２）により駆動される回転軸３３ａを介して回転駆動されると、図３，図６のように噛み合っている歯車３１，回転軸３２を介して折り曲げブロック２５を回転方向Ｒに略１８０°回転させてから、この１８０°回転した状態を保持して版固定ブロック２４に対し挟んだ印刷版１を押圧するようになっている。
【００５２】
また、版固定ブロック２４と折り曲げブロック２５は、図２の台座１３の幅方向Ｗに沿って延びており、その両端に歯車３１と回転軸３２が設けられており、回転軸３３ａも幅方向Ｗに沿って延び、両端に歯車３３が連結されている。
【００５３】
また、図２の台座１３は、全体としてアルミニウム等の金属材料から略矩形平面状に構成され、その先端側（図２の背面側）には、図４〜図６のように、バネ鋼からなる折り曲げべース板２３が幅方向Ｗに沿って延びるとともに、台座１３と折り曲げべース板２３が同じ平面を形成するように固定されている。この折り曲げべース板２３の固定は、図１のように台座側に埋め込んだマグネットにより行うことで、台座１３の平面に突起物が生じない。
【００５４】
また、図４〜図６のように、台座１３に固定された折り曲げべース板２３の先端部２３ａは、台座１３の端面１３ａから突き出ており、曲げブロック２５が先端部２３ａに接触しないように突き出た位置関係となっている。また、折り曲げブロック２５は回転軸３２を中心にして回転するが、この回転軸３２の中心軸は折り曲げべース板２３の先端部２３ａと略一致しており、折り曲げブロック２５は先端部２３ａを略回転中心として回転方向Ｒに回転する。
【００５５】
なお、金属板からなる折り曲げべース板２３は厚さが０．３乃至０．７ｍｍの範囲内であることが好ましい。折り曲げべース板２３の厚さが０．３ｍｍ未満となると、折り曲げべース板２３が折り曲げブロック２５の回転とともに折り曲がってしまい好ましくなく、０．７ｍｍを超えると、印刷版１が折り曲げべース板２３の先端部２３ａに倣ってしまい２段曲げのようになり易く好ましくない。折り曲げべース板２３の厚さは０．４乃至０．５ｍｍの範囲内であることが更に好ましい。また、折り曲げべース板２３の材質はバネ鋼であることで、折り曲げべース板２３の先端部２３ａを略回転中心として折り曲げブロック２５が回転するとき、そのバネ鋼が撓むことで、印刷版１の折り曲げ部への集中荷重を吸収し、印刷版１の割れを防止できる。
【００５６】
折り曲げブロック２５の下部は、図２，図５，図６の台座１３の長手方向（奥行き方向）に、厚さの薄い薄肉部２５ａに構成され、薄肉部２５ａの厚さは、折り曲げべース板２３の先端部２３ａの突き出し長さよりも小さくなっている。これにより、折り曲げブロック２５が略１８０°回転したとき、折り曲げブロック２５が台座１３の端面１３ａに当接せずに、薄肉部２５ａが折り曲げべース板２３の先端部２３ａの下面に対向する（図９（ｆ）参照）。
【００５７】
次に、折り曲げブロック２５を回転方向Ｒに略１８０°回転させてから薄肉部２５ａと版固定ブロック２４との間で印刷版１を押圧するとき、その押圧力を調整する押圧力調整機構を図７を参照して説明する。図７は押圧力調整機構を設けた版固定ブロック２４を図３，図４に示す背面側から見た背面図（ａ）及び部分拡大図（ｂ）である。
【００５８】
図７（ａ）に示すように、版固定ブロック２４は、図２の台座１３の幅方向Ｗに延びているが、上部ブロック２４ａと下部ブロック２４ｂとに分割されている。図７の押圧力調整機構は、上部ブロック２４ａと下部ブロック２４ｂとが幅方向Ｗの複数箇所に設けられたねじ孔２４ｃでねじ結合されるとともに、下部ブロック２４ｂに幅方向Ｗの複数箇所にねじ孔２４ｄを設けることで構成される。
【００５９】
図７（ａ）、（ｂ）のように、上部ブロック２４ａに形成された貫通孔からボルト２４ｆを差し込んで下部ブロック２４ｂのねじ孔２４ｃにねじ込むことで、両ブロック２４ａ、２４ｂがねじ結合される。また、下部ブロック２４ｂの下面から各ねじ孔２４ｄにセットビス２４ｇをねじ込んで、各セットビス２４ｇについて両ブロック２４ａ、２４ｂの合わせ面２４ｅからの突き出し量を調整することで、版固定ブロック２４の全体高さｈを幅方向Ｗにおいて調整する。このようにして、幅方向Ｗにおいて版固定ブロック２４の全体高さｈが変わるので、版固定ブロック２４と折り曲げブロック２５の薄肉部２５ａとの間で印刷版１を押圧するときの押圧力が変化し、押圧力を調整できる。
【００６０】
次に、図５のように上方に移動した折り曲げ機構部１１を上方の保持位置で保持し固定する落下防止機構について図８を参照して説明する。図８は折り曲げ機構部１１の落下防止機構を示す模式図（ａ）及びその部分拡大図（ｂ）である。
【００６１】
図８（ａ）のように、折り曲げ機構部１１の支持部２１の下方にマグネット４０が固定されており、折り曲げ機構部１１が図８（ａ），図５のように略上方ｒに移動すると、マグネット４０が台座１３側に固定された固定部４１に吸着される。この落下防止機構により、折り曲げ機構部１１が上方に待避したとき、保持位置で保持されて固定され、印刷版１のセットに両手を使用できるので、作業性の向上及び印刷版１の損傷防止が可能となるとともに、作業中の安全を確保できる。
【００６２】
また、図８（ａ）、（ｂ）のように、固定部４１にはボールプランジャー４１ａが設けられており、マグネット４０が固定部４１に吸着される位置で、ボールプランジャー４１ａ内のスプリング４１ｃで外側に付勢された小球４１ｂが支持部２１の側面の半球状の凹部２１ｆに入り込む。このボールプランジャー４１ａにより、折り曲げ機構部１１が図５のように上方に移動しマグネット４０が固定部４１に吸着されて保持位置で固定されるときの位置決めが確実に行われる。
【００６３】
次に、図２乃至図８、図１１及び図１２の印刷版折り曲げ装置により、プラスチック支持体を有する印刷板の側縁部を折り曲げる折り曲げ工程について図９（ａ）乃至（ｆ）及び図１３のフローチャートを参照して説明する。図９（ａ）乃至（ｆ）は、図２乃至図８の印刷版折り曲げ装置により印刷板の側縁部を折り曲げる折り曲げ工程（ａ）乃至（ｆ）を説明するための要部側面図である。図１３は図２乃至図９、図１１及び図１２の印刷版折り曲げ装置の折り曲げ動作を説明するためのフローチャートである。
【００６４】
まず、図１１の操作スイッチ部１２で、タイマ４６に押圧の保持時間を例えば５秒に設定し、カウンタ４７に折り曲げの繰り返し回数を例えば２回と設定する（Ｓ０１）。次に、版押さえレバー１４を回動方向Ｓ’に引き下げると、版固定ブロック２４と折り曲げブロック２５等の折り曲げ機構部１１が略上方ｒ’に移動し、図５，図９（ａ）のように、解除状態になるが、このとき、折り曲げ機構部１１は図８の落下防止機構により図９（ａ）の位置で固定状態である（Ｓ０２）。
【００６５】
次に、図５の破線で示すようにシート状の印刷版１を、その側縁部１ａの先端が折り曲げべース板２３の先端部２３ａから突き出るように位置決めして台座１３にセットする（Ｓ０３）。次に、図２のフットスイッチ１９を操作することで吸引機構の吸引ポンプ６４（図１２）を作動させて印刷版１を台座１３に吸着し固定する（Ｓ０４）。
【００６６】
次に、図５の状態から版押さえレバー１４を回動方向Ｓに引き上げると、図８のマグネット４０による固定が解除され、折り曲げ機構部１１が略下方ｒに移動し版固定ブロック２４と折り曲げブロック２５が下降し、図６，図９（ｂ）のように版固定ブロック２４が印刷版１と接触し、折り曲げブロック２５の薄肉部２５ａが印刷版１の突き出た側縁部１ａと接触する。このようにして、版押さえレバー１４により折り曲げ機構部１１をセットする（Ｓ０５）。
【００６７】
次に、図１１の押しボタンスイッチ４８を押しオンにすると、モータ６１（図１２）が回転することで折り曲げ動作が開始する（Ｓ０６）。即ち、モータ６１の回転により図３〜図６のように回転軸３３ａ、歯車３３，歯車３１を介して回転軸３２が回転することで、折り曲げブロック２５が回転方向Ｒに折り曲げべース板２３の先端部２３ａを略回転中心として回転を始め、図９（ｃ）のように４５°、図９（ｄ）のように９０°、図９（ｅ）のように１３５°回転しながら、薄肉部２５ａが印刷版１の側縁部１ａを折り曲げていく。
【００６８】
そして、折り曲げブロック２５が図９（ｆ）のように１８０°回転すると、版固定ブロック２４と対向するように下方に位置し、薄肉部２５ａと版固定ブロック２４との間で印刷版１の側縁部１ａが、折り曲げべース板２３の先端部２３ａを間に挟んだ状態で折り畳む（図１（ｂ）参照）ようにして折り曲げる（Ｓ０７）。
【００６９】
そして、図９（ｆ）の印刷版１の折り畳み状態を保持することで、薄肉部２５ａで折り畳まれた印刷版１の側縁部１ａを押圧する（Ｓ０８）。この押圧をタイマ４６で設定した保持時間だけ続け（Ｓ０９）、折り曲げ回数がカウンタ４７で設定した回数未満であるときは（Ｓ１０）、モータ６１（図１２）を逆回転させることで（Ｓ１１）、折り曲げブロック２５を図９（ｆ）の状態から図６，図９（ｂ）の状態に戻してから、再び、上記ステップＳ０７、Ｓ０８と同じように折り曲げ工程・押圧工程を実行する。
【００７０】
次に、折り曲げ回数がカウンタ４７で設定した回数に達すると（Ｓ１０）、折り曲げ動作が終了し（Ｓ１２）、吸引ポンプ６４が自動的に止まり吸着機構が停止し（Ｓ１３）、押しボタンスイッチ４８のボタン部４８ａが点灯部６２（図１２）により点灯するとともにブザー６３（図１２）がなる（Ｓ１４）。なお、上記折り曲げ動作開始Ｓ０６から折り曲げ動作終了Ｓ１２までの間、ボタン部４８ａが点灯部６２（図１２）により点滅する。これにより、図２の印刷版折り曲げ装置が折り曲げ動作中であることが分かる。
【００７１】
次に、版押さえレバー１４を回動方向Ｓ’に引き下げると、折り曲げ機構部１１が図５，図９（ａ）のように、略上方ｒに移動し解除され、図８のマグネット４０で固定され（Ｓ１５）、印刷版１を台座１３から取り外す（Ｓ１６）。印刷版１の重ね折られた側縁部１ａがスプリングバックすることで、図１（ｃ）のように印刷版１に対し側縁部１ａをほぼ直角に折り曲げることができる。
【００７２】
以上のように、図２乃至図８の印刷版折り曲げ装置によれば、版固定ブロック２４と折り曲げブロック２５との間で折り曲げべース板２３を挟み込んで印刷版１を側縁部１ａで重ね折りし、この重ね折りの状態で印刷版１及び折り曲げべース板２３を所定の押圧時間押圧し、しかも、かかる折り曲げ動作を所定回数だけ繰り返すので、加熱せずに印刷版１の側縁部１ａを精度よく折り曲げることができ、側縁部１ａの折り曲げ角を精度よくほぼ直角にすることができ、加熱手段等が不要でありかつ折り曲げブロック２５の回転のときに印刷版の折り曲げ内側の部材である折り曲げべース板２３を待避させる必要がないため、折り曲げ位置精度を向上でき、装置・機構の簡素化が可能となる。
【００７３】
また、図７の押圧力調整機構により、押圧力を変化させることで折り曲げ角度の調整が可能となり、また、印刷版１の幅方向Ｗの任意位置で押圧力の調整が可能なため折り曲げ部の波打を解消できる。
【００７４】
また、折り曲げべース板２３の上面は印刷版１が常に接触しているため、突起物があると印刷版への傷の発生やセットのときの印刷版エッジ部の引っ掛かりが発生するが、折り曲げべース板２３をマグネットにより保持し固定することで突起が無くなり、かかる傷の発生等を未然に防止できる。なお、折り曲げべース板２３を接着材、両面テープ等により保持し固定するのは、組立時の作業性が悪化し、好ましくない。
【００７５】
また、加熱手段が不要であるので、加熱制御機構等が不要であり、部品数増加やコストアップにならず、また温度を一定温度に上げておくスタンバイ状態が不要であるので、装置不使用のときの電力消費がなくエネルギーの無駄が生じなく、また、印刷版で熱により画像形成層が反応することはない。
【００７６】
また、折り曲げ機構部１１による印刷版１の押圧状態での保持時間及び折り曲げ機構部１１による折曲げ回数の少なくとも一方を変化させることで、従来のように印刷版へ熱量を加えることで折り曲げ角度を調整しなくとも、印刷版１の側縁部１ａにおける折曲げ角度の調整が可能となる。また、折り曲げ機構部１１の折曲げブロック２５の駆動源（モータ６１）を有するので、自動で印刷版の折り曲げ及び解除動作を行うことが可能となる。
【００７７】
また、図１１、図１２のように、タイマ４６、カウンタ４７を備えることで、折り曲げ時間（押圧保持時間）、折り曲げ回数を正確に制御でき、安定した折り曲げ角度の再現が可能となる。
【００７８】
また、折り曲げ完了時を通知する点灯部６２とブザー６３等から構成される通知手段により、折り曲げ動作完了をユーザが即時に認識可能となり、更に、点灯部６２とブザー６３を併用することで比較的騒音レべルの高い印刷作業現場においても装置の状態を認識できる。
【００７９】
次に、図１の印刷版折り曲げ方法及び図２乃至図９、図１１乃至図１３の印刷版折り曲げ装置に適用して好ましい印刷版について図１０を参照して説明する。図１０は本実施の形態における印刷版の層構成を模式的に示す断面図である。
【００８０】
図１０のように、シート状の印刷版１は、プラスチック支持体５０上に少なくとも親水性層５１及び感熱性画像形成層５２を有する。印刷版１は、例えば印刷版の作製装置のドラムに巻き付けられ、そのドラムを回転させて光源により画像データを走査露光して画像記録された後に、上述のようにして、側縁部１ａが図１（ｃ）のように折り曲げられてから、印刷機の版胴にその折り曲げ部を用いて有効に装着される。
【００８１】
印刷版１のプラスチック支持体５０として、ポリエチレンテレフタレート、ポリエチレンナフタレート等のポリエステル、ポリイミド、ポリアミド、ポリカーボネート、ポリスルホン、ポリフェニレンオキサイド、セルロースエステル類を挙げることができる。特に、ポリエチレンテレフタレート、ポリエチレンナフタレート等のポリエステルフィルムが好ましい。
【００８２】
プラスチック支持体５０は、特に、ポリエチレンテレフタレートが搬送性、取り扱い易さ等から好ましく、印刷版作製装置内では、プラスチック支持体の厚みが薄過ぎたり厚過ぎると、ロールにし難いし、搬送性に問題があり、また薄過ぎると次の工程の印刷機に持ち運ぶ時に強度がなく撓む等の問題があり、搬送性、取り扱い易さ等からプラスチック支持体５０の厚さは１００〜２５０μｍが好ましく、特に好ましくは１７０〜１８０μｍである。また、プラスチック支持体５０は、ヤング率が４５００乃至６５００Ｎ／ｍｍ２の範囲内であることが好ましく、５０００乃至６０００Ｎ／ｍｍ２の範囲内であることが更に好ましい。
【００８３】
印刷版１の親水性層５１とは、印刷時に印刷インキを着肉しない機能を有する層であり、この親水性層５１を形成する素材としては、有機親水性ポリマーを架橋あるいは疑似架橋することにより得られる有機親水性マトリクス構造体や、ポリアルコキシシラン、チタネート、ジルコネート又はアルミネートの加水分解、縮合反応からなるゾル−ゲル変換により得られる無機親水性マトリクス構造体、金属酸化物等が好ましく用いられる。親水性層５１は、特に金属酸化物微粒子を含むことが好ましく、例えば、コロイダルシリカ、アルミナソル、チタニアゾル、その他の金属酸化物のゾルが挙げられる。
【００８４】
また、印刷版１の感熱性画像形成層５２は、加熱により画像を形成しうる層であり、熱溶融性微粒子及び／又は熱融着性微粒子を含有する。熱溶融性微粒子としては、熱可塑性素材の中でも特に溶融した際の粘度が低く、一般的にワックスとして分類される素材で形成された微粒子である。また、熱融着性微粒子としては、熱可塑性疎水性高分子重合体微粒子が挙げられ、該熱可塑性疎水性高分子重合体粒子の軟化温度に特定の上限はないが、温度は高分子重合体微粒子の分解温度より低いことが好ましい。
【００８５】
以上のように本発明を実施するための最良の形態について説明したが、本発明はこれらに限定されるものではなく、本発明の技術的思想の範囲内で各種の変形が可能である。例えば、図７と同様の押圧力調整機構を折り曲げブロック２５に設けてもよい。
【００８６】
また、図１３では、折り曲げ機構部１１により印刷版１の押圧及び複数回の折曲げの両方を行ったが、印刷版１の押圧及び複数回の折曲げのいずれか一方を行うことで、印刷版１の側縁部１ａを折り曲げるようにしてもよい。
【００８７】
また、図１３における印刷版１の押圧の保持時間及び折り曲げ回数は、上述のプラスチック支持体５０の厚さや材料等が変わった場合には、適宜適切な保持時間・回数に変更することが好ましい。
【図面の簡単な説明】
【００８８】
【図１】本発明による好ましい印刷版の折り曲げ工程（ａ）〜（ｃ）を概略的に説明するための側断面図である。
【図２】本実施の形態による印刷版折り曲げ装置の全体外観を示す斜視図である。
【図３】図２の印刷版折り曲げ装置の折り曲げ機構部１１をカバー部材１１ａを取り外した状態で背面側から見た斜視図である。
【図４】図３の折り曲げ機構部１１の版固定ブロック２４及び折り曲げブロック２５が上方に退避した状態を示す要部斜視図である。
【図５】図３の折り曲げ機構部１１の版固定ブロック２４及び折り曲げブロック２５が上方に退避した状態を示す側面図である。
【図６】図３の折り曲げ機構部１１の版固定ブロック２４及び折り曲げブロック２５が下降し印刷版を押さえた状態を示す側面図である。
【図７】押圧力調整機構を設けた版固定ブロック２４を図３，図４に示す背面側から見た背面図（ａ）及び部分拡大図（ｂ）である。
【図８】折り曲げ機構部１１の落下防止機構を示す模式図（ａ）及びその部分拡大図（ｂ）である。
【図９】図２乃至図８の印刷版折り曲げ装置により印刷板の側縁部を折り曲げる折り曲げ工程（ａ）乃至（ｆ）を説明するための要部側面図である。
【図１０】本実施の形態における印刷版の層構成を模式的に示す断面図である。
【図１１】図２の操作スイッチ部１２を示す平面図である。
【図１２】図２の印刷版折り曲げ装置の制御系を示すブロック図である。
【図１３】図２乃至図９、図１１及び図１２の印刷版折り曲げ装置の折り曲げ動作を説明するためのフローチャートである。
【符号の説明】
【００８９】
１ 印刷版
１ａ 側縁部
２ 台座
３ 折り曲げベース板
４ 版固定ブロック
５ 折り曲げブロック
１１ 折り曲げ機構部（折り曲げ機構）
１２ 操作スイッチ部
１３ 台座
１４ 版押さえレバー
２３ 折り曲げベース板
２３ａ 先端部
２４ 版固定ブロック（版固定手段）
２４ａ 上部ブロック
２４ｂ 下部ブロック
２５ 折り曲げブロック（折り曲げ手段）
２５ａ 薄肉部
３１ 歯車
３２ 回転軸
３３ 歯車
３３ａ 回転軸
４０ マグネット
４１ 固定部
４６ タイマ
４７ カウンタ
４８ 押しボタンスイッチ
４８ａ ボタン部
５０ プラスチック支持体
５１ 親水性層
５２ 感熱性画像形成層
６０ 制御部
６１ モータ
６２ 点灯部
６３ ブザー
６４ 吸引ポンプ
Ｒ 回転方向
Ｒ 回転方向
Ｗ 台座１３の幅方向
ｈ 全体高さ
ｒ 略上方
ｒ’ 略下方
【図１】
2005313527.tif 000003
【図２】
2005313527.tif 000004
【図３】
2005313527.tif 000005
【図４】
2005313527.tif 000006
【図５】
2005313527.tif 000007
【図６】
2005313527.tif 000008
【図７】
2005313527.tif 000009
【図８】
2005313527.tif 000010
【図９】
2005313527.tif 000011
【図１０】
2005313527.tif 000012
【図１１】
2005313527.tif 000013
【図１２】
2005313527.tif 000014
【図１３】
2005313527.tif 000015